(57)【要約】  本発明は、通信システム及び方法を提供する。当該通信システムは、少なくとも第１の８０２．１１装置と第２の８０２．１１装置とを含み、第１の８０２．１１装置は、第２の８０２．１１装置の関連情報をサーチし、サーチした関連情報に基づいて第１の８０２．１１装置のネットワーク設定を変更する第１のネットワーク接続部と、第１の８０２．１１駆動インタフェースとを備え、第２の８０２．１１装置は、８０２．１１駆動インタフェースを備え、第１の８０２．１１装置の８０２．１１駆動インタフェースと第２の８０２．１１装置の８０２．１１駆動インタフェースとは、変更したネットワーク設定に従い通信する。【特許請求の範囲】
【請求項１】
少なくとも第１の８０２．１１装置と第２の８０２．１１装置とを含む通信システムであって、
第１の８０２．１１装置は、第２の８０２．１１装置の関連情報をサーチし、サーチした関連情報に基づいて第１の８０２．１１装置のネットワーク設定を変更する第１のネットワーク接続部と、第１の８０２．１１駆動インタフェースとを備え、
第２の８０２．１１装置は、８０２．１１駆動インタフェースを備え、
第１の８０２．１１装置の８０２．１１駆動インタフェースと第２の８０２．１１装置の８０２．１１駆動インタフェースとは、変更したネットワーク設定に従い通信することを特徴とする通信システム。
【請求項２】
請求項１に記載の通信システムであって、
第２の８０２．１１装置の関連情報は、第２の８０２．１１装置のＳＳＩＤ、ＭＡＣアドレス、暗号化状態及び共有リソースを含むことを特徴とする通信システム。
【請求項３】
請求項２に記載の通信システムであって、
第１の８０２．１１装置の前記ネットワーク接続部は、サーチした関連情報に基づいて第１の８０２．１１装置のＳＳＩＤを第２の８０２．１１装置のＳＳＩＤとし、認証モードをｏｐｅｎとし、ＷＥＰ暗号化をｄｉｓａｂｌｅとすることを特徴とする通信システム。
【請求項４】
請求項１乃至３のいずれか１項に記載の通信システムであって、
第１の８０２．１１装置の前記ネットワーク接続部がネットワーク設定を変更した後、当該第１の８０２．１１装置の８０２．１１駆動インタフェースは、接続要求を第２の８０２．１１装置の８０２．１１駆動インタフェースに送信して、第２の８０２．１１装置に対し８０２．１１に基づくネットワーク接続を開始するように要求することを特徴とする通信システム。
【請求項５】
請求項４に記載の通信システムであって、
前記接続要求は、接続要求を識別する情報要素が付加されているＰｒｏｂｅ  Ｒｅｑｕｅｓｔフレームであり、当該Ｐｒｏｂｅ  Ｒｅｑｕｅｓｔフレームの宛先アドレスが第２の８０２．１１装置のＭＡＣアドレスに設定されることを特徴とする通信システム。
【請求項６】
請求項５に記載の通信システムであって、
前記の接続要求を識別する情報要素は、第１の８０２．１１装置のユーザ名称と、当該接続要求に対する共有リソース情報と、接続要求タイムアウト時間とを含むことを特徴とする通信システム。
【請求項７】
請求項４に記載の通信システムであって、
第２の８０２．１１装置の８０２．１１駆動インタフェースは、第１の８０２．１１装置からの接続要求に応答して、接続応答を第１の８０２．１１装置の８０２．１１駆動インタフェースに送信することを特徴とする通信システム。
【請求項８】
請求項７に記載の通信システムであって、
前記接続応答は、接続要求応答結果を識別する情報要素が付加されているＰｒｏｂｅ  Ｒｅｓｐｏｎｓｅフレームを含むことを特徴とする通信システム。
【請求項９】
請求項８に記載の通信システムであって、
前記の接続要求応答結果を識別する情報要素は、接続要求応答結果と、今回の接続有効時間とを含むことを特徴とする通信システム。
【請求項１０】
請求項９に記載の通信システムであって、
接続応答が接続成功応答であれば、サーバ接続部は第１の８０２．１１装置のＭＡＣアドレス及び今回の接続の目標リソース情報と、今回の接続要求のタイムアウト時間とを含む情報を、第２の８０２．１１装置のアクセス許可装置リストに追加し、第２の８０２．１１装置はアクセス許可装置リストに基づいて第１の８０２．１１装置との通信を制御することを特徴とする通信システム。
【請求項１１】
第１の８０２．１１装置が、第２の８０２．１１装置の関連情報をサーチするステップａ）と、
第１の８０２．１１装置がステップａ）においてサーチした関連情報に基づいて第１の８０２．１１装置のネットワーク設定を変更するステップｂ）と、
第１の８０２．１１装置が、変更したネットワーク設定に従い第２の８０２．１１装置と通信するステップｃ）とを含むことを特徴とする通信方法。
【請求項１２】
請求項１１に記載の通信方法であって、
ステップａ）において、サーチした第２の８０２．１１装置の関連情報は、第２の８０２．１１装置のＳＳＩＤ、ＭＡＣアドレス、暗号化状態及び共有リソースを含むことを特徴とする通信方法。
【請求項１３】
請求項１２に記載の通信方法であって、
ステップｂ）において、第１の８０２．１１装置はステップａ）でサーチした関連情報に基づいて、第１の８０２．１１装置のＳＳＩＤを第２の８０２．１１装置のＳＳＩＤとし、認証モードをｏｐｅｎとし、ＷＥＰ暗号化をｄｉｓａｂｌｅとすることを特徴とする通信方法。
【請求項１４】
請求項１１乃至１３のいずれか１項に記載の通信方法であって、
ステップｃ）に、
第１の８０２．１１装置が、接続要求を第２の８０２．１１装置に送信して、第２の８０２．１１装置との通信を要求するステップ１）と、
第２の８０２．１１装置が、当該接続要求に応答して、接続応答を第１の８０２．１１装置に送信するステップ２）と、
第１の８０２．１１装置が、ステップ２）での接続応答に従い第２の８０２．１１装置と通信するステップ３）とを含むことを特徴とする通信方法。
【請求項１５】
請求項１４に記載の通信方法であって、
前記接続要求は、接続要求を識別する情報要素が付加されているＰｒｏｂｅ  Ｒｅｑｕｅｓｔフレームであり、当該Ｐｒｏｂｅ  Ｒｅｑｕｅｓｔフレームの宛先アドレスが第２の８０２．１１装置のＭＡＣアドレスに設定されることを特徴とする通信方法。
【請求項１６】
請求項１５に記載の通信方法であって、
前記の接続要求を識別する情報要素は、第１の８０２．１１装置のユーザ名称と、当該接続要求に対する共有リソース情報と、接続要求タイムアウト時間とを含むことを特徴とする通信方法。
【請求項１７】
請求項１４に記載の通信方法であって、
前記接続応答は、接続要求応答結果を識別する情報要素が付加されているＰｒｏｂｅ  Ｒｅｓｐｏｎｓｅフレームを含むことを特徴とする通信方法。
【請求項１８】
請求項１７に記載の通信方法であって、
前記の接続要求応答結果を識別する情報要素は、接続要求応答結果と、今回の接続有効時間とを含むことを特徴とする通信方法。
【請求項１９】
請求項１４に記載の通信方法であって、
接続応答が接続成功応答であれば、サーバ接続部は第１の８０２．１１装置のＭＡＣアドレス及び今回の接続の目標リソース情報と、今回の接続要求のタイムアウト時間とを含む情報を、第２の８０２．１１装置のアクセス許可装置リストに追加し、第２の８０２．１１装置はアクセス許可装置リストに基づいて第１の８０２．１１装置との通信を制御することを特徴とする通信方法。
【発明の詳細な説明】
【技術分野】
【０００１】
本発明は、通信システムおよび通信方法に関し、特に、８０２．１１プロトコルに従う通信システムおよび通信方法に関する。
【背景技術】
【０００２】
８０２．１１プロトコルには、ＩＢＳＳ（独立基本サービスセット）モードが定義されており、当該モードにおいて、複数のＳＴＡ（無線ステーション）同士は、ＡＰ（中央ネットワーク）の存在を必要とせずに、Ａｄ−ｈｏｃネットワーク（自己組織ネットワーク）を直接構築可能であり、当該モードネットワークは、一時的なネットワーク構築を必要とする応用に対して有用である。従来の方案では、ＩＢＳＳモードにおいて、ＡＰがないため、ネットワークアクセスのアクセス制御ポイントとなる固定的なアクセスポイント又はサーバがなく、ＳＴＡがＩＢＳＳにアクセスし当該ＩＢＳＳの中の他のＳＴＡと通信することができるか否かは、主に二つの要因によって決められる。一つは、各ＳＴＡに同様なＳＳＩＤ（サービスセット識別子）が設置されているか否かであり、他の一つは、各ＳＴＡに同様な暗号化方式と鍵が設置されているか否かである。同様なＳＳＩＤ、暗号化方式及び該当する鍵が設置されてこそ、複数のＳＴＡ同士は、互いに通信可能なＩＢＳＳネットワークを構築することができる。ここで、ＳＴＡが位置する区域内の全てのＩＢＳＳネットワークのＳＳＩＤは、従来の技術方案によって取得することができ、具体的には、いずれかのＩＢＳＳネットワークにおける各ＳＴＡに使用される暗号化方式、暗号化するか否かも、従来の技術方案によって取得することができるが、暗号化によるＩＢＳＳネットワークでは、その鍵がサーチすることによって取得されることができないので、暗号化によるＩＢＳＳネットワークに対しては、鍵を取得しなければ参加することができない。このような設計方案は、相対的に固定されている場所、例えば、オフィス、家庭、ホットスポット（Ｈｏｔ Ｓｐｏｔ）領域に対して有用であり、アクセスセキュリティを有効に保証することができるが、当該方案は、複数の装置が動的に相互接続される移動環境に対して応用に不便である。その問題の表現は下記の通りである。複数の装置が動的接続されている場合において、ユーザ同士は周辺に存在している装置及び装置におけるリソースを相互に見出して、ネットワークの構築に使用できることを期待する一方、良く知らないユーザに対しては、共通の鍵を設置して各ユーザを相互アクセス可能にすることによって、潜在的リスクを招来する。さらに、それぞれのネットワークアクセス方式をＯｐｅｎに設定し鍵を使用しないと、ユーザは安心に使用することができない。
【０００３】
一方、動的接続する場合において、通常、ユーザは他のユーザ装置に備えているリソースの一部を使用するだけで済み、例えば、動的オンラインゲームの場合である。このようなリソース使用は、通常、相手にセキュリティー問題をもたらすことはないが、従来の８０２．１１ＩＢＳＳネットワーク構築メカニズムは、該当する解決方案を提供していない。
【０００４】
この課題を解決するために、下記のような解決方案が提案されている。レノボ会社の「閃聯任意通」と言うソフトウェアは、ユーザに対して「閃聯移動ネットワーク」と称される８０２．１１無線配置環境をデフォルトとして設定しており、当該環境配置では、ネットワーク類型をＩＢＳＳとし、ネットワーク名称をデフォルトとして設定し、暗号化方式をＷＥＰとし、鍵をデフォルトとして設定し、当該ソフトウェアが設置されている複数のノート型パソコンのユーザが環境を当該環境に切り換えると、複数の装置はＩＢＳＳネットワークを構築する。これらのユーザは、「閃聯任意通」と言うソフトウェアによってファイル・データの共有を実現し、閃聯任意通によってファイル・データの共用を実現するとき、リソース提供者は、ソフトウェアの報知に応じてリソース要求者の要求を許可又は拒絶することができる。
【０００５】
当該解決方案は、同様な８０２．１１配置を設定することで高速ネットワーク構築を実現し、データ応用の場合、ユーザの確認によってセキュリティー性をある程度保証しているが、当該方案は、下記の欠陥がある。
ａ）リソース提供者は、リソース要求者とのネットワーク構築を可能にするために自分の無線ネットワーク配置を切り換えなければならず、リソース提供者が元に他のネットワークに接続されている場合、このような切り換えは元の接続の切断を招来する。
ｂ）ユーザに対する報知及び確認を追加したが、当該メカニズムは「閃聯任意通」による応用にしか適用できず、ネットワークに基づく他の応用のセキュリティーに対しては、セキュリティー性がある程度低下するというリスクを招来してしまう。
【発明の開示】
【０００６】
本発明は、上記の問題点に鑑みてなされたものであり、８０２．１１装置同士の相互接続を簡単化することができる通信システム及び方法を提供することを目的とする。
【０００７】
本発明の通信システムによると、少なくとも第１の８０２．１１装置と第２の８０２．１１装置とを含む通信システムであって、第１の８０２．１１装置は、第２の８０２．１１装置の関連情報をサーチし、サーチした関連情報に基づいて第１の８０２．１１装置のネットワーク設定を変更する第１のネットワーク接続部と、第１の８０２．１１駆動インタフェースとを備え、第２の８０２．１１装置は、８０２．１１駆動インタフェースを備え、第１の８０２．１１装置の８０２．１１駆動インタフェースと第２の８０２．１１装置の８０２．１１駆動インタフェースとは、変更したネットワーク設定に従い通信することを特徴とする通信システムである。
【０００８】
本発明の通信方法によると、第１の８０２．１１装置が、第２の８０２．１１装置の関連情報をサーチするステップａ）と、第１の８０２．１１装置がステップａ）においてサーチした関連情報に基づいて第１の８０２．１１装置のネットワーク設定を変更するステップｂ）と、第１の８０２．１１装置が、変更したネットワーク設定に従い第２の８０２．１１装置と通信するステップｃ）とを含むことを特徴とする通信方法である。
【０００９】
本発明によれば、ユーザが周辺の他の８０２．１１装置を発見して接続使用する時に、如何なる手動設定も必要とせずにネットワーク接続を実現することができる。
【発明を実施するための最良の形態】
【００１０】
図１は、本発明に係る通信システムの構成のブロック図を示し、当該通信システムは８０２．１１プロトコルに従うものである。当該通信システムは、ユーザ１が使用している８０２．１１装置１とユーザ２が使用している８０２．１１装置２とを含む。当該通信システムにおいて、８０２．１１装置１は、接続開始装置として機能し、８０２．１１装置２は、接続先装置として機能する。８０２．１１装置１は、ＵＩ１１と、クライアント接続部１２と、８０２．１１駆動インタフェース１３とを含む。８０２．１１装置２は、ＵＩ２１と、サーバ接続部２２と、８０２．１１駆動インタフェース２３とを含む。
【００１１】
ユーザ１は、まず、８０２．１１装置１におけるクライアント接続部１２を介して、８０２．１１装置２上の共有リソースを発見するとともに、８０２．１１装置２のＳＳＩＤ、ＭＡＣアドレスおよび暗号化状態を把握する。ユーザ１が８０２．１１装置２上の共有リソースｘを取得して欲しくなると、８０２．１１装置１のクライアント接続部１２は、８０２．１１装置１のＳＳＩＤを８０２．１１装置２のＳＳＩＤとし、認証モードをｏｐｅｎとし、ＷＥＰ暗号化をｄｉｓａｂｌｅとする。クライアント接続部１２が当該動作を完成できなければ、宛先コンテンツをアクセスすることができないことをＵＩ１１を介してユーザに報知し、その原因は、相手のネットワークに参加することができないからである。８０２．１１装置２の暗号化状態が暗号化しないモードになっていると、接続命令を再送する必要がない。
【００１２】
これとともに、ユーザ１は、８０２．１１装置１のＵＩ１１を介してクライアント接続部１２に命令を出し、８０２．１１装置２に対する８０２．１１に基づくネットワーク接続要求の発信を要求するが、目標リソースは、８０２．１１装置２上のコンテンツｘである。
【００１３】
クライアント接続部１２は、接続要求を８０２．１１装置１の８０２．１１駆動インタフェースに送信する。当該接続要求は、接続要求拡張が付いたユニキャストＰｒｏｂｅ  Ｒｅｑｕｅｓｔフレームであり、当該Ｐｒｏｂｅ  Ｒｅｑｕｅｓｔフレームの宛先アドレス（ＤＡ）が８０２．１１装置２のＭＡＣアドレスである。当該フレームは、８０２．１１プロトコルに基づいて、元のＰｒｏｂｅ  Ｒｅｑｕｅｓｔフレーム構造に接続要求を表すための情報要素（Ｉｎｆｏｒｍａｔｉｏｎ  Ｅｌｅｍｅｎｔ）を付加し、当該情報要素のコンテンツは、少なくとも下記の２つの部分のコンテンツを含む。即ち、接続要求を発信するユーザの名称（即ち、ユーザ１の名称）および今回の接続要求に対する共有リソース情報（この実施例では、コンテンツｘ）と、接続要求タイムアウト時間とを含む。
【００１４】
８０２．１１装置２の８０２．１１駆動インタフェース２３は、当該Ｐｒｏｂｅ  Ｒｅｑｕｅｓｔフレームを受信し、その中の接続要求を表す情報要素を取り出して、８０２．１１装置２のサーバ接続部２２に送信する。サーバ接続部２２は、ユーザ１の名称とアクセスする目標リソースｘとをＵＩ２１に送信し、ＵＩ２１がユーザ２に表示する。
【００１５】
ユーザ２は、取得した情報に基づきユーザ１の要求を許可するか否かを確定し、接続許可又は接続拒絶の応答をする。サーバ接続部２２が接続要求タイムアウト時間の終了前に接続許可又は接続拒絶の応答を受信すると、サーバ接続部２２は、８０２．１１駆動インタフェース２３を駆動して接続要求応答拡張が付いたユニキャストＰｒｏｂｅ  Ｒｅｓｐｏｎｓｅフレームを送信し、当該フレームの宛先アドレス（ＤＡ）が８０２．１１装置１のＭＡＣアドレスである。当該フレームは、８０２．１１プロトコルに準拠して予め決定されたＰｒｏｂｅ  Ｒｅｓｐｏｎｓｅフレーム構造に接続要求応答結果を表すための情報要素（Ｉｎｆｏｒｍａｔｉｏｎ  Ｅｌｅｍｅｎｔ）を追加し、当該情報要素のコンテンツは、少なくとも下記の２つの部分のコンテンツを含む。即ち、接続要求応答結果（Ｓｕｃｃｅｓｓ又はＤｅｎｉｅｄ）と、今回接続の有効時間とを含む。
【００１６】
サーバ接続部２２が要求成功応答を応答結果として送信すれば、サーバ接続部２２は、今回の接続開始装置（８０２．１１装置１）のＭＡＣアドレス、今回接続の目標リソース情報、今回接続請求のタイムアウト時間などの情報を、８０２．１１装置２の８０２．１１駆動インタフェース２３のアクセス許可装置リストに追加する。
【００１７】
クライアント接続部１２は、接続要求タイムアウト時間の終了前に応答が成功のＰｒｏｂｅ  Ｒｅｓｐｏｎｓｅフレームを受信されないと、今回の接続要求が失敗したことをＵＩ１１を介してユーザ１に通知する。そうでなければ、今回の接続要求が成功したことをユーザに報知する。
接続要求が成功した後、ユーザ１は、要求した目標リソースと対応する応用ソフトウェアを起動して宛先装置のリソースを使用するようにすることができる。
【００１８】
８０２．１１装置２の８０２．１１駆動インタフェース２３は、アクセス許可装置リストにおけるＭＡＣアドレスに基づいて他の８０２．１１装置からのデータフレームを許可するか否かを判断する。サーバ接続部が位置している装置の８０２．１１ネットワークのセキュリティーモードが暗号化に設定されている場合、アクセス許可装置リストにおける装置からの暗号化されていないデータフレームであり、且つ当該データフレームに対応するリソースが当該装置の元の接続要求時のリソースであれば、当該フレームを許可する。アクセス許可装置リストに格納されていない装置からの暗号化されていないデータフレームであれば、当該フレームを拒絶する。如何なる装置からの暗号化データフレームであり、鍵が正しくない場合のみに当該フレームを拒絶する。当該サーバ接続部が位置する装置の８０２．１１ネットワークセキュリティーモードを暗号化しないモードに設定すると、他の装置からのデータを判断しない。
【００１９】
サーバ接続部２２は、アクセス許可装置リストを定期的に更新し、期限が過ぎたアクセス許可装置を削除する。
【００２０】
以下、本発明に係る通信システム及び方法の動作について、例を挙げて、さらに説明する。
【００２１】
ユーザＡが本発明を適用可能なＭＰ３プレーヤ（当該ＭＰ３プレーヤは、８０２．１１ｂ／ｇ／ａの規格によるネットワークカードを備えている）を持って空港で待合わせており、この時、ユーザＡのＭＰ３プレーヤの無線設定がＡｄ−ｈｏｃモードとなり、ＳＳＩＤがＭｕｓｉｃＰｌａｙｅｒとなり、ＷＥＰ暗号化がイネーブルとなっている。ユーザＡは、ＭＰ３プレーヤにおけるネットワークリソースサーチ機能を起動して、空港内の他のユーザＢが持っている本発明を適用可能なＭＰ３プレーヤを発見する。ユーザＢのＭＰ３プレーヤの無線設定がＡｄ−ｈｏｃモードとなり、ＳＳＩＤがＭｕｓｉｃＳｏｕｒｃｅとなり、ＷＥＰ暗号化がイネーブルとなっており、且つ、ユーザＢがＭＰ３プレーヤに「ＭＰ３共有」を設定した。このような状態で、ユーザＡは自分のＭＰ３プレーヤによって、ユーザＢのＭＰ３プレーヤに接続要求を発信することができ、ユーザＢのＭＰ３プレーヤは、パターンの点滅などの形式によってユーザＡからの接続要求があることをユーザＢに報知する。ユーザＢが当該接続要求を同意すると、ユーザＡのソフトウェアは、まず、無線設定をＳＳＩＤ：ＭｕｓｉｃＳｏｕｒｃｅであり、暗号化しないモードに変更するとともに、接続の成功をユーザＡに報知する。そして、ユーザＡは、ユーザＢのＭＰ３プレーヤ中の共有されている音楽ファイルをブラウスしてダウンロードすることができるが、ユーザＡがユーザＢの他のリソースにアクセスしようするときに、アクセス権限禁止の報知が受信される。
【００２２】
この例において、ＭＰ３がこのリソースを共有するには、ＭＰ３共有サービスのＩＤ番号を識別子としても良く、このようにして、ユーザＡのＭＰ３プレーヤが当該ＩＤを有するＭＰ３共有サービスに要求を送信する場合にのみ、そのデータパケットが本発明のソフトウェアによるチェックを通過することができる。
【００２３】
本発明によれば、ユーザが周辺の他の８０２．１１装置を発見して接続使用する時に、如何なる手動設定も必要とせずにネットワーク接続を実現することができる。なお、ユーザは、セキュリティー性を保証する前提下で、８０２．１１装置におけるリソースを共有することができる。
【００２４】
本発明の通信システム及び方法によれば、８０２．１１プロトコルに準拠して、元のプロトコルの互換性を維持する上に、８０２．１１ＩＢＳＳネットワークにおける装置同士の接続を簡単化することができる。
【００２５】
本発明は、Ｂｌｕｅｔｏｏｔｈ装置同士を対にするときに採用する方法を導入することで、ＩＢＳＳネットワークにおいて、８０２．１１装置同士を動的接続環境にて需要に応じてネットワークを構築するようにし、分散型Ａｄ−ｈｏｃネットワーク構築方式を接続要求／応答に基づくネットワーク構築方式にする。
【００２６】
さらに、本発明は、ＭＡＣ層フィルタリングの方法を導入することで、装置接続の複雑度を下げるとともにセキュリティー性をある程度保証する。
【００２７】
本発明では、ユーザ１がリソースをサーチする方法として下記のようなステップによって実現し得る。
【００２８】
１）ユーザ１は、命令によってサーチすべきリソースの記述情報をクライアント接続部１２に送信する；
【００２９】
２）クライアント接続部１２は、ＭＡＣ層のＰｒｏｂｅ  Ｒｅｑｕｅｓｔ管理フレームを拡張し、サーチすべきリソースの記述情報を前記Ｐｒｏｂｅ  Ｒｅｑｕｅｓｔ管理フレームにカプセル化してブロードキャストする；
【００３０】
３）前記Ｐｒｏｂｅ  Ｒｅｑｕｅｓｔ管理フレームを受信した８０２．１１装置２のサーバ接続部２２は、拡張されたＰｒｏｂｅ  Ｒｅｑｕｅｓｔ管理フレームにおけるリソース記述情報を解析し、事前の設定によって当該リソース記述情報をユーザに伝達するか又はそのまま応答処理を行う；
【００３１】
４）応答コンテンツを当該８０２．１１装置２のサーバ接続部２２に送信し、サーバ接続部２２は、応答コンテンツを拡張されたＰｒｏｂｅ  Ｒｅｓｐｏｎｓｅ管理フレームにカプセル化して送信する；
【００３２】
５）前記Ｐｒｏｂｅ  Ｒｅｓｐｏｎｓｅ管理フレームを受信した８０２．１１装置１のクライアント接続部１２は、前記Ｐｒｏｂｅ  Ｒｅｓｐｏｎｓｅ管理フレームにおけるコンテンツを解析してユーザ１にアップロードする。
【００３３】
勿論、上記の方法が一例に過ぎず、本発明は、ユーザ１が８０２．１１装置２の関連情報をサーチするために他の方法を採用してもよい。
【００３４】
以上の実施例は、本発明を限定するものではなく、その技術方案を説明するためのものであり、好ましい実施例を参照して本発明を詳しく説明しているが、本発明の技術方案に対し修正又は同等交換を行うことができ、本発明の技術方案の精神及び範囲を逸脱しない限り、本発明の特許請求の範囲に含まれるものであることは、当業者にとって理解し得る。
【図面の簡単な説明】
【００３５】
【図１】図１は、本発明に係る通信システムの構成のブロック図である。
【図１】
2009512368.tif 000002
【国際調査報告】
2009512368.tif 000003
2009512368.tif 000004
2009512368.tif 000005
2009512368.tif 000006